(57)【要約】【課題】  水捌けがよく、空気の流通に優れ、ビーズの乾燥時間を早めることができるビーズ保持台を提供する。【解決手段】  ビーズ保持台１は、基板２と、基板２の縦方向と横方向に形成され、隣り合うビーズａ同士を互いに接触させた状態で保持する保持部１０とからなる。保持部１０は、基板２を貫通して形成された透孔１１と、透孔１１の周縁の少なくとも３カ所に形成された係止縁１２とからなる。ビーズａは、これの外周面の少なくとも３カ所が前記係止縁１２によって係止されて基板２に保持される。【選択図】図１
2015181915.tif 000002
【特許請求の範囲】
【請求項１】
隣り合うビーズを互いに接触させるようにして保持するビーズ保持台であって、
基板と、
基板の縦方向と横方向に形成され、隣り合うビーズ同士を接触させた状態で保持する保持部とを有し、
保持部は、
基板を貫通して形成された透孔と、
透孔の周縁の少なくとも３カ所に形成された係止縁とからなり、
ビーズは、これの外周面の少なくとも３カ所が前記係止縁によって係止されて基板に保持され、外周面と透孔の周縁との間に隙間が形成されていることを特徴するビーズ保持台。
【請求項２】
前記保持部は、
基板を貫通して形成された透孔と、
透孔の周縁の少なくとも３カ所に設けられた突起と、
突起に形成された係止縁とからなり、
ビーズは、これの外周面の少なくとも３カ所が前記突起の係止縁によって係止されて基板に保持され、外周面と透孔の周縁との間に隙間が形成されていることを特徴する請求項１記載のビーズ保持台。
【発明の詳細な説明】
【技術分野】
【０００１】
本発明は、隣り合うビーズ同士を互いに接触させるようにして並べ、水を掛けてビーズ同士を溶着させて造形物を作る溶着ビーズ玩具に用いられるビーズ保持台であって、ビーズを安定して並べて保持できる保持部を備えたビーズ保持台に関する。
【背景技術】
【０００２】
従来のビーズ保持台は、基板と、基板の縦方向と横方向に形成され、隣り合うビーズ同士を互いに接触させた状態で保持する保持部とからなる。保持部は、奇数の横列と偶数の横列が半ピッチずらして基板に配列されている。保持部は、半球体状の凹部で形成されている（特許文献１，２）。半球体状の凹部は、真球形状のビーズと略同じ曲率で形成され、ビーズを嵌めるように保持する（特許文献３）。
【先行技術文献】
【特許文献】
【０００３】
【特許文献１】実用新案登録第３１３１２９２号公報
【特許文献２】実用新案登録第３１３２４６８号公報
【特許文献３】実用新案登録第２５５１７０９号公報
【発明の概要】
【発明が解決しようとする課題】
【０００４】
溶着ビーズ玩具に用いられるビーズは、ポリビニルアルコールを配合した合成樹脂によって真球形状に成形され、液体に接触すると表面が融解して接着するものである。溶着ビーズ玩具は、この真球形状の水融解性ビーズを、上記したビーズ保持台の凹部状の保持部に載せると、隣り合うビーズ同士が互いに接触するようにして並べられ、上方から水を噴霧すると、ビーズ同士が溶着してアクセサリー等の造形物が作られる。この溶着して形成された造形物は、未乾燥状態で摘むと、未乾燥部分が変形して形状が崩れてしまうので、十分乾燥させる必要がある。しかし、上記したようにビーズ保持台は、ビーズを保持する保持部が凹部状に形成されているため、噴霧した水分が凹部状の保持部に溜まり、乾燥に時間がかかるという問題点があった。また、ビーズの外周面と保持部の凹部の内面が密着しているので、空気が触れ難くなっており、凹部の内面に密着しているビーズの外周面の乾燥に特に時間がかかり、制作時間が長いという問題点があった。
【０００５】
本願発明は、上記問題点に鑑み案出したものであって、水捌けがよく、空気の流通に優れ、ビーズの乾燥時間を早めることができるビーズ保持台を提供することを第１の目的とする。また、上記目的を備え、さらに取り出しやすいビーズ保持台を提供することを第２の目的とする。
【課題を解決するための手段】
【０００６】
本願請求項１に係るビーズ保持台は、上記第１の目的を達成するため、隣り合うビーズを互いに接触させるようにして保持するビーズ保持台であって、基板と、基板の縦方向と横方向に形成され、隣り合うビーズ同士を接触させた状態で保持する保持部とを有し、保持部は、基板を貫通して形成された透孔と、透孔の周縁の少なくとも３カ所に形成された係止縁とからなり、ビーズは、これの外周面の少なくとも３カ所が前記係止縁によって係止されて基板に保持され、外周面と透孔の周縁との間に隙間が形成されていることを特徴する。
【０００７】
本願請求項２に係るビーズ保持台は、上記第２の目的を達成するため、前記保持部は、基板を貫通して形成された透孔と、透孔の周縁の少なくとも３カ所に設けられた突起と、突起に形成された係止縁とからなり、ビーズは、これの外周面の少なくとも３カ所が前記突起の係止縁によって係止されて基板に保持され、外周面と透孔の周縁との間に隙間が形成されていることを特徴する。
【発明の効果】
【０００８】
本願発明に係るビーズ保持台は、隣り合うビーズを互いに接触させるようにして保持するビーズ保持台であって、基板と、基板の縦方向と横方向に形成され、隣り合うビーズ同士を接触させた状態で保持する保持部とを有し、保持部は、基板を貫通して形成された透孔と、透孔の周縁の少なくとも３カ所に形成された係止縁とからなり、ビーズは、これの外周面の少なくとも３カ所が前記係止縁によって係止されて基板に保持され、外周面と透孔の周縁との間に隙間が形成されている。
【０００９】
本願発明に係るビーズ保持台は、水融解性ビーズを保持部に載置すると、ビーズの外周面を透孔の周縁に形成された少なくとも３カ所の係止縁が係止してビーズを保持する。このようにして保持部に載置したビーズに、水を噴霧するとビーズ同士の接触部分が溶着し合い一つの造形物を形成する。噴霧した水分は、透孔の周縁とビーズの外周面の隙間から透孔を介して下方に落下して留まることがない。また、ビーズの外周面が少なくとも３カ所の係止縁によって係止されているだけなので、空気の流通が良く、ビーズ全体に空気が接触する。このように、本願発明に係るビーズ保持台は、湿ったビーズを素早く乾燥させ、造形物を短時間で制作することができるという効果がある。
【００１０】
本願発明に係るビーズ保持台は、前記保持部は、基板を貫通して形成された透孔と、透孔の周縁の少なくとも３カ所に設けられた突起と、突起に形成された係止縁とからなり、ビーズは、これの外周面の少なくとも３カ所が前記突起の係止縁によって係止されて基板に保持され、外周面と透孔の周縁との間に隙間が形成されている。本願発明に係るビーズ保持台は、上記効果に加え、ビーズ保持台によって保持されたビーズが、突起によって基板の上方に位置しているので取り出し易く、しかも速乾性に優れているという効果がある。
【図面の簡単な説明】
【００１１】
【図１】本願発明に係るビーズ保持台の一つの実施の形態を示す全体平面図である。
【図２】図１の要部拡大平面図である。
【図３】図２の側面断面図である。
【図４】保持部の他の形態を示す拡大平面図である。
【図５】本願発明に係るビーズ保持台の他の実施の形態を示す全体斜視図である。
【図６】図５の要部拡大平面説明図である。
【図７】図６の側面断面図である。
【図８】図５の要部拡大斜視図である。
【発明を実施するための形態】
【００１２】
本願発明に係るビーズ保持台の概要について説明する。図１乃至３に示すように、ビーズ保持台１は、隣り合うビーズａを互いに接触させるようにして保持するものである。ビーズ保持台１は、基板２と、基板２の縦方向Ｙと横方向Ｘに形成され、隣り合うビーズａ同士を接触させた状態で保持する保持部１０とを有する。保持部１０は、奇数の横列Ｘ2n+1と偶数の横列Ｘ2nが半ピッチずらして基板２に配列されている。保持部１０は、基板２を貫通して形成された透孔１１と、透孔１１の周縁の少なくとも３カ所に形成された係止縁１２とからなる。ビーズａは、これの外周面の少なくとも３カ所が前記係止縁１２によって係止されて基板２に保持され、外周面と透孔１１の周縁との間に隙間１３が形成されている。
【００１３】
ビーズ保持台１は、真球形状の水融解性ビーズａを保持部１０に載置すると、ビーズａの外周面を透孔１１の周縁に形成された少なくとも３カ所の係止縁１２が係止してビーズａを保持する。同じ横列Ｘ2n又はＸ2n+1のビーズａは、隣同士が互いに接触する。異なる横列Ｘ2n及びＸ2n+1のビーズａは、一方の横列のビーズａに対し他方の横列の二つのビーズａが同時に接触する。従って、ビーズ保持台１によって保持された１つのビーズａは、最大６個のビーズａが接触することになる。このようにして保持部１０に載置した水融解性ビーズａに、水を噴霧するとビーズａ同士の接触部分が溶着し合い一つの造形物を形成する。噴霧した水分は、透孔１１の周縁とビーズａの外周面の隙間１３から透孔１１を介して下方に落下して留まることがない。また、ビーズａの外周面が少なくとも３カ所の係止縁１２によって係止されているだけなので、空気の流通が良く、ビーズａ全体に空気が接触する。このように、ビーズ保持台１は、湿ったビーズａを素早く乾燥させ、造形物を短時間で制作することができる。
【００１４】
図５乃至８に示すように、ビーズ保持台２１は、保持部３０が、基板２２を貫通して形成された透孔３１と、透孔３１の周縁の少なくとも３カ所に設けられた突起３３と、突起３３に形成された係止縁３２とからなるようにしても良い。ビーズａは、これの外周面の少なくとも３カ所が前記突起３３の係止縁３２によって係止されて基板２２に保持され、外周面と透孔３１の周縁との間に隙間３５が形成されている。ビーズ保持台２１は、ビーズ保持台２１によって保持されたビーズａが、突起３３によって基板２２の上方に位置しているので取り出し易く、しかも速乾性に優れている。
【００１５】
さらに、ビーズ保持台について詳細に説明する。ビーズ保持台１は、図１乃至３に示すように、合成樹脂による成形により形成され、基板２と、基板２の周囲に形成された周壁３とからなる。基板２には、真球形状の水融解性ビーズａを安定して保持する保持部１０が整列されて形成されている。保持部１０は、隣り合うビーズａ同士を互いに接触させるようにして保持する。保持部１０は、基板２の縦方向Ｙと横方向Ｘに形成され、縦列Ｙnと横列Ｘnが共に等間隔で配列されている。保持部１０は、奇数の縦列Ｙ2n+1と偶数の縦列Ｙ2nが半ピッチずらして基板２に配列されている。保持部１０は、奇数の横列Ｘ2n+1と偶数の横列Ｘ2nも半ピッチずらして基板２に配列されている。
【００１６】
保持部１０は、基板２を貫通する透孔１１と、透孔１１の周縁の３カ所に形成され、ビーズａの外周面を係止してビーズａを保持する係止縁１２とからなる。係止縁１２は、球状のビーズａの外周面３カ所を等間隔で係止するように透孔１１に形成されている。透孔１１は、形状が特に限定されるものでなく、円形状、多角形状、種々設計変更することができる。本実施の形態では、透孔１１が６角形状に形成され、その６辺の内の対向する３辺が係止縁１２を形成するようにしている。
【００１７】
係止縁１２は、曲線状であっても構わないが、直線状であることが望ましい。係止縁１２は、直線状であるとビーズａの外周面に点接触するので、接触部分が少なく、ビーズａが乾燥しやすい。なお、係止縁１２は、ビーズａの外周面と曲率が略同じの曲線状であると、ビーズａの外周面に線接触するので、短めであることが望ましい。ビーズａは、保持部１０に保持されると、係止縁１２を除く透孔１１の周縁とビーズａの外周面に隙間１３が形成されることになる。
【００１８】
ビーズ保持台１は、ビーズａを保持部１０に載置すると、透孔１１の周縁に形成された３カ所の係止縁１２によってビーズａを支持する。同じ横列Ｘ2n又はＸ2n+1のビーズａは、隣同士が互いに接触する。異なる横列Ｘ2n及びＸ2n+1のビーズａは、一方の横列のビーズａに対し他方の横列の二つのビーズａが同時に接触する。１つのビーズａは最大６個のビーズａが接触することになる。異なる着色がされたビーズａを、ビーズ保持台の保持部１０に所定形状に配置することにより、動物、顔、花等の多種多様な形状の模様を形成することができる。
【００１９】
このようにしてビーズ保持台１に載置した水融解性ビーズａに、水を噴霧するとビーズａ同士の接触部分が溶着し合い一つの造形物を形成する。噴霧した水分は、係止縁１２を除く透孔１１の周縁とビーズａの外周面の隙間１３から透孔１１を介して下方に落下して留まることがない。また、ビーズａの外周面が３カ所の係止縁１２によって係止されているので、空気の流通が良く、ビーズａ全体に空気が接触する。このように、ビーズ保持台１は、湿ったビーズａを素早く乾燥させ、造形物を短時間で制作することができる。
【００２０】
前記ビーズ保持台１の保持部１０は、六角形状の透孔１１の周縁の３カ所にビーズａの外周面を係止する係止縁１２を形成した。しかし、図４に示すように、四角形状の透孔１５の周縁４カ所にビーズａの外周面を係止する係止縁１６を形成した保持部１４にしてもよい。また、図５乃至８に示すように、透孔３１の周縁の３カ所に突起３３を設け、当該突起３３に係止縁３２を形成しても良い。即ち、保持部３０は、基板２２を貫通して形成された透孔３１と、透孔３１の周縁の３カ所に設けられた突起３３と、突起３３に形成された係止縁３２とからなる。
【００２１】
このビーズ保持台２１は、図５に示すように、合成樹脂による成形により形成され、基板２２を有する。基板２２には、ビーズａを安定して保持する保持部３０が整列されて形成されている。保持部３０は、隣り合うビーズａ同士を互いに接触させるようにして保持する。保持部３０は、基板２２の縦方向Ｙと横方向Ｘに形成され、縦列Ｙ2nと横列2nが等間隔で配列されている。保持部３０は、奇数の縦列Ｙ2n+1と偶数の縦列Ｙ2nが半ピッチずらして基板２２に配列されている。保持部３０は、奇数の横列Ｘ2n+1と偶数の横列Ｘ2nも半ピッチずらして基板２２に配列されている。
【００２２】
保持部３０は、基板２２を貫通する透孔３１と、透孔３１の周縁の３カ所に等間隔で設けられた突起３３と、突起３３に形成され、ビーズａの外周面を係止してビーズａを保持する係止縁３２とからなる。係止縁３２は、球状のビーズａの外周面３カ所を等間隔で係止するように突起３３に形成されている。突起３３は、各透孔３１の３カ所にそれぞれ設けられている。なお、突起３３は、３つの透孔３１の略中心に位置するように設け、この一つの突起３３の３カ所に係止縁３２を形成しても構わない。透孔３１は、形状が特に限定されるものでなく、円形状、多角形状等、種々設計変更することができる。本実施の形態では、透孔３１が円形状に形成されている。
【００２３】
係止縁３２は、上記したように、直線状であっても構わないが、安定して係止するため、ビーズａの外周面と曲率が略同じの曲線状にしても構わない。ビーズａは、保持部３０に保持されると、係止縁３２を除く透孔３１の周縁とビーズａの外周面に隙間３５が形成されることになる。
【００２４】
ビーズ保持台２１は、ビーズａを保持部３０に載置すると、透孔３１の周縁３カ所に設けられた突起３３に形成された係止縁３２によってビーズａの外周面を係止してビーズａを支持する。同じ横列Ｘ2n又はＸ2n+1のビーズａは、隣同士が互いに接触する。異なる横列Ｘ2n及びＸ2n+1のビーズａは、一方の横列のビーズａに対し他方の横列の二つのビーズａが同時に接触する。１つのビーズａは最大６個のビーズａが接触することになる。異なる着色がされたビーズａを、ビーズ保持台２１の保持部１０に所定形状に配置することにより、動物、顔、花等の多種多様な形状の模様を形成することができる。
【００２５】
このようにしてビーズ保持台２１に載置したビーズａに、水を噴霧するとビーズａ同士の接触部分が溶着し合い一つの造形物を形成する。噴霧した水分は、係止縁３２を除く透孔３１の周縁とビーズａの外周面の隙間３５から透孔３１を介して下方に落下して留まることがない。また、ビーズａの外周面が３カ所の突起３３の係止縁３２によって係止されているので、空気の流通が良く、ビーズａ全体に空気が接触する。このように、ビーズ保持台２１は、湿ったビーズａを素早く乾燥させ、造形物を短時間で制作することができる。また、ビーズ保持台２１によって保持されたビーズａは、これの外周面の３カ所が前記突起３３の係止縁３２によって係止されて基板２２から離間した上方の位置で支持されているので取り出し易く、しかも速乾性に優れている。
【産業上の利用可能性】
【００２６】
本願発明は、ビーズを一つずつ載せて水を噴霧してビーズの造形物を製作して遊ぶビーズ玩具に利用可能である。
【符号の説明】
【００２７】
Ｘ  横方向
Ｙ  縦方向
Ｘ2n+1  奇数の横列
Ｘ2n  偶数の横列
Ｙ2n+1  奇数の縦列
Ｙ2n  偶数の縦列
ａ  ビーズ
１  ビーズ保持台
２  基板
３  周壁
１０  保持部
１１  透孔
１２  係止縁
１３  隙間
１４  保持部
１５  透孔
１６  係止縁
２１  ビーズ保持台
２２  基板
３０  保持部
３１  透孔
３２  係止縁
３３  突起
３５  隙間
【図１】
2015181915.tif 000003
【図２】
2015181915.tif 000004
【図３】
2015181915.tif 000005
【図４】
2015181915.tif 000006
【図５】
2015181915.tif 000007
【図６】
2015181915.tif 000008
【図７】
2015181915.tif 000009
【図８】
2015181915.tif 000010